(57)【要約】【課題】機能のカスタマイズ又は拡張等を簡便化させることのできる画像形成装置及びアプリケーション実行方法の提供を目的とする。【解決手段】画像処理の対象とするデータを入力する一つ以上の入力部と、該画像処理の結果を出力する一つ以上の出力部とを備えた画像形成装置であって、前記入力部に応じて当該入力部からのデータの入力処理を制御する第一のフィルタと、前記出力部に応じて当該出力部への出力を制御する第二のフィルタとを有し、前記第一のフィルタと前記第二のフィルタとの接続によりアプリケーションが構築されることにより上記課題を解決する。【選択図】図１
2007325251.tif 000002
【特許請求の範囲】
【請求項１】
画像処理の対象とするデータを入力する一つ以上の入力部と、該画像処理の結果を出力する一つ以上の出力部とを備えた画像形成装置であって、
前記入力部に応じて当該入力部からのデータの入力処理を制御する第一のフィルタと、
前記出力部に応じて当該出力部への出力を制御する第二のフィルタとを有し、
前記第一のフィルタと前記第二のフィルタとの接続によりアプリケーションが構築されることを特徴とする画像形成装置。
【請求項２】
前記第一のフィルタは、前記入力部から入力されたデータを出力し、
前記第二のフィルタは、当該第二のフィルタに入力されたデータを前記出力部に出力させ、
前記第一のフィルタより出力されるデータは、当該第一のフィルタに接続された前記第二のフィルタに入力されることを特徴とする請求項１記載の画像形成装置。
【請求項３】
前記画像処理の種類に応じて当該画像処理を実行する第三のフィルタを有し、
前記第一のフィルタと、前記第三のフィルタと、前記第二のフィルタとの接続によりアプリケーションが構築されることを特徴とする請求項１又は２記載の画像形成装置。
【請求項４】
前記第三のフィルタは、当該第三のフィルタに入力されたデータに対し前記画像処理を実行することにより生成されるデータを出力し、
前記第一のフィルタより出力されるデータは、当該第一のフィルタに接続された前記第三のフィルタに入力され、前記第三のフィルタより出力されるデータは、前記第二のフィルタに入力されることを特徴とする請求項３記載の画像形成装置。
【請求項５】
それぞれの前記フィルタは、独立してインストール又はアンインストールが可能であることを特徴とする請求項１乃至４いずれか一項記載の画像形成装置。
【請求項６】
前記フィルタ単位で、当該フィルタの実行条件を入力させるユーザインタフェースの表示機能を備えることを特徴とする請求項１乃至５いずれか一項記載の画像形成装置。
【請求項７】
前記フィルタより出力されるデータを当該フィルタに接続された前記フィルタに入力させる伝達手段を有し、
前記フィルタは、前記伝達手段を介して接続されることを特徴とする請求項１乃至６いずれか一項記載の画像形成装置。
【請求項８】
前記アプリケーションの実行要求に応じ前記フィルタを選択するフィルタ選択手段と、
選択されたそれぞれの前記フィルタを前記伝達手段を介して接続し、前記選択されたそれぞれのフィルタに対して実行要求を出力するフィルタ接続手段とを有し、
前記フィルタによる処理の同期は、前記伝達手段によってとられることを特徴とする請求項７記載の画像形成装置。
【請求項９】
前記フィルタは、当該フィルタの入力側に接続された前記伝達手段へのデータの入力を検出することにより、当該フィルタの処理を開始することを特徴とする請求項８記載の画像形成装置。
【請求項１０】
前記伝達手段は、データの伝達に用いる実体に応じて複数種類存在し、
前記フィルタ接続手段は、接続される前記フィルタの組み合わせに応じて当該フィルタを接続する前記伝達手段の種類を選択することを特徴とする請求項８又は９記載の画像形成装置。
【請求項１１】
接続される前記フィルタの組み合わせと前記伝達手段との対応関係が登録された対応関係管理手段を有し、
前記フィルタ接続手段は、前記対応関係管理手段に登録された対応関係に基づいて、接続される前記組み合わせに応じた前記伝達手段の種類を選択することを特徴とする請求項１０記載の画像形成装置。
【請求項１２】
操作パネルを備え、
前記操作パネルに表示される前記フィルタの中から、利用する前記フィルタを選択させることを特徴とする請求項１乃至１１いずれか一項記載の画像形成装置。
【請求項１３】
前記操作パネルにおいて、前記フィルタ単位で前記フィルタの実行条件の設定が可能であることを特徴とする請求項１２記載の画像形成装置。
【請求項１４】
複数の前記フィルタの組み合わせが予め定義された機能実行手段を有し、
前記機能実行手段は、当該機能実行手段の組み合わせに係るそれぞれの前記フィルタを実行させることを特徴とする請求項１乃至１３いずれか一項記載の画像形成装置。
【請求項１５】
前記機能実行手段は、当該機能実行手段の組み合わせに係る前記フィルタより当該フィルタの実行条件を設定させるための設定画面の画面情報を取得し、前記画面情報に基づいて、当該機能実行手段の実行条件を設定させるための設定画面を当該画像形成装置の操作パネルに表示させることを特徴とする請求項１４記載の画像形成装置。
【請求項１６】
画像処理の対象とするデータを入力する一つ以上の入力部と、該画像処理の結果を出力する一つ以上の出力部とを備えた画像形成装置が実行するアプリケーション実行方法であって、
前記入力部に応じて当該入力部からのデータの入力処理を制御する第一のフィルタを選択する第一の選択手順と、
前記出力部に応じて当該出力部への出力を制御する第二のフィルタを選択する第二の選択手順とを有し、
選択された前記第一のフィルタと前記第二のフィルタとの接続によって構築されるアプリケーションを実行することを特徴とするアプリケーション実行方法。
【請求項１７】
前記第一のフィルタは、前記入力部から入力されたデータを出力し、
前記第二のフィルタは、当該第二のフィルタに入力されたデータを前記出力部に出力させ、
前記第一のフィルタより出力されるデータは、当該第一のフィルタに接続された前記第二のフィルタに入力されることを特徴とする請求項１６記載のアプリケーション実行方法。
【請求項１８】
前記画像処理の種類に応じて当該画像処理を実行する第三のフィルタを選択する第三の選択手順を有し、
選択された前記第一のフィルタと、前記第三のフィルタと、前記第二のフィルタとの接続によって構築されるアプリケーションを実行することを特徴とする請求項１６又は１７記載のアプリケーション実行方法。
【請求項１９】
前記第三のフィルタは、当該第三のフィルタに入力されたデータに対し前記画像処理を実行することにより生成されるデータを出力し、
前記第一のフィルタより出力されるデータは、当該第一のフィルタに接続された前記第三のフィルタに入力され、前記第三のフィルタより出力されるデータは、前記第二のフィルタに入力されることを特徴とする請求項１８記載のアプリケーション実行方法。
【請求項２０】
前記画像形成装置は、複数の前記フィルタの組み合わせが予め定義された機能実行手段を有し、
前記機能実行手段が当該機能実行手段の組み合わせに係るそれぞれの前記フィルタを実行させる手順を有することを特徴とする請求項１６乃至１９いずれか一項記載のアプリケーション実行方法。
【発明の詳細な説明】
【技術分野】
【０００１】
本発明は、画像形成装置及びアプリケーション実行方法に関し、特に画像処理の対象とするデータを入力する複数種類の入力部と、該画像処理の結果を出力する複数種類の出力部とを備えた画像形成装置及びアプリケーション実行方法に関する。
【背景技術】
【０００２】
近年におけるプリンタ、コピー機、スキャナ、ファクシミリ、又はこれらの機能を一台の筐体で実現する複合機等の画像形成装置では、メモリ等の制限は厳しいものの、汎用的なコンピュータと同様にＣＰＵを備え、各機能はアプリケーションの制御によって実現されるようになっている。
【０００３】
例えば、特許文献１に記載された画像形成装置では、各アプリケーションから共通的に利用される機能をプラットフォームとして備えており、当該プラットフォームのＡＰＩを利用してアプリケーションを実装することができる。かかる画像形成装置によれば、共通的に利用される機能がプラットフォームとして備えられていることにより、アプリケーションごとに重複した機能の実装が回避され、アプリケーション全体の開発効率を向上させることができる。
【特許文献１】特許第３６７９３４９号公報
【発明の開示】
【発明が解決しようとする課題】
【０００４】
しかしながら、一般的に、共通的に利用されるＡＰＩを備えたプラットフォームについては、当該プラットフォームによって提供される機能又はインタフェースの粒度が適切に設計されていないと、アプリケーションの開発効率の向上が期待以上に図れない場合がある。
【０００５】
例えば、当該粒度が小さ過ぎると、単純なサービスを提供するアプリケーションであるにもかかわらず、多くのＡＰＩの呼び出しが必要とされ、そのソースコードは複雑なものとなってしまう。
【０００６】
一方、当該粒度が大き過ぎると、或るインタフェースによって提供されている機能の一部について変更を加えたサービスを提供するアプリケーションを実装したい場合、当該プラットフォーム内を修正しなければならず、開発工数の増加を招いてしまいかねない。特に、プラットフォーム内における各モジュールの依存関係が強い場合は、プラットフォームに新規機能を追加するだけでなく、既存部分の修正も必要とされる場合があり、事態はより複雑となる。
【０００７】
また、既存のアプリケーションによって提供されているサービスの一部（例えば、画像の入力処理）を変更したアプリケーションを実装したい場合、当該一部以外の部分については既存のアプリケーションを呼び出すといったようなことは出来ない。したがって、改めてソースコードを記述して新たなアプリケーションを実装しなければならない。
【０００８】
本発明は、上記の点に鑑みてなされたものであって、機能のカスタマイズ又は拡張等を簡便化させることのできる画像形成装置及びアプリケーション実行方法の提供を目的とする。
【課題を解決するための手段】
【０００９】
そこで上記課題を解決するため、本発明は、画像処理の対象とするデータを入力する一つ以上の入力部と、該画像処理の結果を出力する一つ以上の出力部とを備えた画像形成装置であって、前記入力部に応じて当該入力部からのデータの入力処理を制御する第一のフィルタと、前記出力部に応じて当該出力部への出力を制御する第二のフィルタとを有し、前記第一のフィルタと前記第二のフィルタとの接続によりアプリケーションが構築されることを特徴とする。
【００１０】
また、本発明は、前記第一のフィルタは、前記入力部から入力されたデータを出力し、前記第二のフィルタは、当該第二のフィルタに入力されたデータを前記出力部に出力させ、前記第一のフィルタより出力されるデータは、当該第一のフィルタに接続された前記第二のフィルタに入力されることを特徴とする。
【００１１】
また、本発明は、前記画像処理の種類に応じて当該画像処理を実行する第三のフィルタを有し、前記第一のフィルタと、前記第三のフィルタと、前記第二のフィルタとの接続によりアプリケーションが構築されることを特徴とする。
【００１２】
また、本発明は、前記第三のフィルタは、当該第三のフィルタに入力されたデータに対し前記画像処理を実行することにより生成されるデータを出力し、前記第一のフィルタより出力されるデータは、当該第一のフィルタに接続された前記第三のフィルタに入力され、前記第三のフィルタより出力されるデータは、前記第二のフィルタに入力されることを特徴とする。
【００１３】
また、本発明は、それぞれの前記フィルタは、独立してインストール又はアンインストールが可能であることを特徴とする。
【００１４】
また、本発明は、前記フィルタ単位で、当該フィルタの実行条件を入力させるユーザインタフェースの表示機能を備えることを特徴とする。
【００１５】
また、本発明は、前記フィルタより出力されるデータを当該フィルタに接続された前記フィルタに入力させる伝達手段を有し、前記フィルタは、前記伝達手段を介して接続されることを特徴とする。前記アプリケーションの実行要求に応じ前記フィルタを選択するフィルタ選択手段と、選択されたそれぞれの前記フィルタを前記伝達手段を介して接続し、前記選択されたそれぞれのフィルタに対して実行要求を出力するフィルタ接続手段とを有し、前記フィルタによる処理の同期は、前記伝達手段によってとられることを特徴とする。
【００１６】
また、本発明は、前記フィルタは、当該フィルタの入力側に接続された前記伝達手段へのデータの入力を検出することにより、当該フィルタの処理を開始することを特徴とする。
【００１７】
また、本発明は、前記伝達手段は、データの伝達に用いる実体に応じて複数種類存在し、前記フィルタ接続手段は、接続される前記フィルタの組み合わせに応じて当該フィルタを接続する前記伝達手段の種類を選択することを特徴とする。
【００１８】
また、本発明は、接続される前記フィルタの組み合わせと前記伝達手段との対応関係が登録された対応関係管理手段を有し、前記フィルタ接続手段は、前記対応関係管理手段に登録された対応関係に基づいて、接続される前記組み合わせに応じた前記伝達手段の種類を選択することを特徴とする。
【００１９】
また、本発明は、操作パネルを備え、前記操作パネルに表示される前記フィルタの中から、利用する前記フィルタを選択させることを特徴とする。
【００２０】
また、本発明は、前記操作パネルにおいて、前記フィルタ単位で前記フィルタの実行条件の設定が可能であることを特徴とする。
【００２１】
また、本発明は、複数の前記フィルタの組み合わせが予め定義された機能実行手段を有し、前記機能実行手段は、当該機能実行手段の組み合わせに係るそれぞれの前記フィルタを実行させることを特徴とする。
【００２２】
また、上記課題を解決するため、本発明は、画像処理の対象とするデータを入力する一つ以上の入力部と、該画像処理の結果を出力する一つ以上の出力部とを備えた画像形成装置が実行するアプリケーション実行方法であって、前記入力部に応じて当該入力部からのデータの入力処理を制御する第一のフィルタを選択する第一の選択手順と、前記出力部に応じて当該出力部への出力を制御する第二のフィルタを選択する第二の選択手順とを有し、選択された前記第一のフィルタと前記第二のフィルタとの接続によって構築されるアプリケーションを実行することを特徴とする。
【００２３】
このような画像形成装置又はアプリケーション実行方法では、機能のカスタマイズ又は拡張等を簡便化させることができる。
【発明の効果】
【００２４】
本発明によれば、機能のカスタマイズ又は拡張等を簡便化させることのできる画像形成装置及びアプリケーション実行方法を提供することができる。
【発明を実施するための最良の形態】
【００２５】
以下、図面に基づいて本発明の実施の形態を説明する。図１は、第一の実施の形態における複合機のソフトウェア構成例を示す図である。ここで、複合機とは、プリンタ、コピー、スキャナ、又はＦＡＸ等の複数の機能を一台の筐体において実現する画像形成装置をいう。
【００２６】
図１に示されるように、複合機１におけるソフトウェアは、ユーザインタフェース層１０、コントロール層２０、アプリケーションロジック層３０、デバイスサービス層４０、及びデバイス制御層５０等より構成される。なお、図中における各層の上下関係は、層間の呼び出し関係に基づいている。すなわち、基本的に図中において上にある層が下の層を呼び出す。
【００２７】
ユーザインタフェース層１０は、機能（例えば、コピー、印刷、スキャン、ＦＡＸ送信）の実行要求を受け付けるための機能が実装されている部分であり、例えば、通信サーバ部１１及びローカルＵＩ部１２等が含まれる。通信サーバ部１１は、例えば、非図示のクライアントＰＣ（Personal Computer）等からネットワーク経由で要求を受け付ける。ローカルＵＩ部１２は、例えば、非図示のオペレーションパネルを介して入力される要求を受け付ける。ユーザインタフェース層１０において受け付けられた要求は、コントロール層２０に伝えられる。
【００２８】
コントロール層２０は、要求された機能を実現するための処理を制御するための機能が実装されている部分である。具体的には、要求された機能に応じて、アプリケーションロジック層３０における各フィルタを接続し、接続されたフィルタに基づいて機能の実行を制御する。なお、本実施の形態において「複合機１の機能」とは、複合機１がユーザに対して提供する一つのまとまった単位（要求が入力されて最終的な出力が得られるまで）のサービスと同義であり、ソフトウェア的には一つのまとまった単位のサービスを提供するアプリケーションと同義である。
【００２９】
アプリケーションロジック層３０は、それぞれが複合機１において提供される機能の一部を実現する部品群が実装されている部分である。すなわち、アプリケーションロジック層３０における部品を組み合わせることにより一つの機能が実現される。本実施の形態では、各部品を「フィルタ」と呼ぶ。これは、複合機１のソフトウェアアーキテクチャが「パイプ＆フィルタ」と呼ばれる考え方に基づくことによる。
【００３０】
図２は、パイプ＆フィルタの概念を説明するための図である。図２において、「Ｆ」はフィルタを示し、「Ｐ」はパイプを示す。図中に示されるように、各フィルタはパイプによって接続される。フィルタは、入力されたデータに対して変換を施し、その結果を出力する。パイプは、フィルタから出力されたデータを次のフィルタに伝達する。
【００３１】
すなわち、本実施の形態における複合機１では、各機能をドキュメント(データ)に対する「変換」の連続として捉える。複合機の各機能は、ドキュメントの入力、加工、及び出力によって構成されるものとして一般化することができる。そこで「入力」、「加工」、及び「出力」を「変換」として捉え、一つの「変換」を実現するソフトウェア部品がフィルタとして構成される。入力を実現するフィルタを特に「入力フィルタ」という。また、加工を実現するフィルタを特に「変換フィルタ」という。更に、出力を実現するフィルタを特に「出力フィルタ」という。なお、各フィルタは独立しており、フィルタ間における依存関係（呼び出し関係）は基本的に存在しない。したがって、フィルタ単位で追加（インストール）又は削除（アンインストール）が可能とされている。
【００３２】
図１において、アプリケーションロジック層３０には、入力フィルタとして、読取フィルタ３０１、保管文書読出フィルタ３０２、メール受信フィルタ３０３、ＦＡＸ受信フィルタ３０４、ＰＣ文書受信フィルタ３０５、レポートフィルタ３０６等が含まれている。
【００３３】
読取フィルタ３０１は、スキャナによる画像データの読み取りを制御し、読み取られた画像データを出力する。保管文書読出フィルタ３０２は、複合機１の記憶装置に保管されている文書データ（画像データ）を読み出し、読み出されたデータを出力する。メール受信フィルタ３０３は、電子メールの受信し、当該電子メールに含まれているデータを出力する。ＦＡＸ受信フィルタ３０４は、ＦＡＸ受信を制御し、受信されたデータを出力する。ＰＣ文書受信フィルタ３０５は、非図示のクライアントＰＣから印刷データを受信し、受信された印刷データを出力する。レポートフィルタ３０６は、複合機１の設定情報や履歴情報等を、例えば表形式に整形されたデータとして出力する。
【００３４】
また、変換フィルタとしては、文書加工フィルタ３１１及び文書変換フィルタ３１２等が含まれている。文書加工フィルタ３１１は、入力されたデータに所定の画像変換処理（集約、拡大、又は縮小等）を施し、出力する。文書変換フィルタ３１２は、レンダリング処理を実行する。すなわち、入力されたＰｏｓｔＳｃｒｉｐｔデータをビットマップデータに変換して出力する。
【００３５】
また、出力フィルタとしては、印刷フィルタ３２１、保管文書登録フィルタ３２２、メール送信フィルタ３２３、ＦＡＸ送信フィルタ３２４、ＰＣ文書送信フィルタ３２５、及びプレビューフィルタ３２６等が含まれている。
【００３６】
印刷フィルタ３２１は、入力されたデータをプロッタに出力（印刷）させる。保管文書登録フィルタ３２２は、入力されたデータを複合機１内のハードディスク内に保存する。メール送信フィルタ３２３は、入力されたデータを電子メールに添付して送信する。ＦＡＸ送信フィルタ３２４は、入力されたデータをＦＡＸ送信する。ＰＣ文書送信フィルタ３２５は、入力されたデータをクライアントＰＣに送信する。プレビューフィルタ３２６は、入力されたデータを、複合機１のオペレーションパネルにプレビュー表示させる。
【００３７】
デバイスサービス層４０は、アプリケーションロジック層３０における各フィルタから共通に利用される下位機能が実装されている部分であり、例えば、画像パイプ４１及びデータ管理部４２等が含まれる。画像パイプ４１は、上述したパイプの機能を実現する。すなわち、或るフィルタからの出力データを次のフィルタに伝達する。データ管理部４２は、各種のデータベースを表現する。例えば、ユーザ情報が登録されたデータベースや、文書又は画像データ等が蓄積されるデータベース等が相当する。
【００３８】
デバイス制御層５０は、デバイス（ハードウェア）を制御するドライバと呼ばれるプログラムモジュール群が実装されている部分であり、例えば、スキャナ制御部５１、プロッタ制御部５２、メモリ制御部５３、Ｔｅｌ回線制御部５４、及びネットワーク制御部５５等が含まれる。各制御部は、当該制御部の名前に付けられているデバイスを制御する。
【００３９】
フィルタについて更に詳しく説明する。図３は、フィルタの構成要素を説明するための図である。図３に示されるように、各フィルタは、フィルタ設定用ＵＩ、フィルタロジック、フィルタ固有下位サービス、及び永続記憶領域情報等より構成される。このうち、フィルタ設定用ＵＩ、フィルタ固有下位サービス、及び永続記憶領域情報については、フィルタによって必ずしも構成要素に含まれない。
【００４０】
フィルタ設定用ＵＩは、フィルタの実行条件等を設定させるための画面をオペレーションパネル等に表示させるプログラムである。例えば、読取フィルタ３０１であれば、解像度、濃度、画像種別等を設定させる画面が相当する。なお、オペレーションパネルの表示がＨＴＭＬデータや、スクリプトに基づいて行われ得ることに鑑みれば、フィルタ設定用ＵＩはＨＴＭＬデータやスクリプトであってもよい。
【００４１】
フィルタロジックは、フィルタの機能を実現するためロジックが実装されたプログラムである。すなわち、フィルタの構成要素としてのフィルタ固有下位サービスや、デバイスサービス層４０又はデバイス制御層５０等を利用して、フィルタ設定用ＵＩを介して設定された実行条件に応じてフィルタの機能を実現する。例えば、読取フィルタ３０１であれば、スキャナによる原稿の読み取り制御のためのロジックが相当する。
【００４２】
フィルタ固有下位サービスは、フィルタロジックを実現するために必要な下位機能（ライブラリ）である。すなわち、デバイスサービス層４０又はデバイス制御層５０相当する機能であるが、他のフィルタから使用されないものについては、フィルタの一部として実装されてもよく、当該一部がフィルタ固有下位サービスに相当する。例えば、読取フィルタ３０１であれば、スキャナを制御するための機能が相当するが、本実施の形態では、デバイス制御層５０においてスキャナ制御部５１として実装されている。したがって、読取フィルタ３０１において、フィルタ固有下位サービスの実装は必ずしも必要ではない。
【００４３】
永続記憶領域情報は、フィルタに対する設定情報（例えば、実行条件のデフォルト値）等、不揮発メモリに保存する必要があるデータのスキーマ定義が相当する。当該スキーマ定義は、フィルタのインストール時にデータ管理部４２に登録される。
【００４４】
図４は、本実施の形態の複合機における各機能を実現するためのフィルタの組み合わせの例を示す図である。
【００４５】
例えば、コピー機能は、読取フィルタ３０１と印刷フィルタ３２１とを接続することにより実現される。読取フィルタ３０１によって原稿より読み取られた画像データを印刷フィルタ３２１によって印刷すればよいからである。なお、集約、拡大、又は縮小等の加工が要求された場合は、これらの加工を実現する文書加工フィルタ３１１が二つのフィルタの間に挿入される。
【００４６】
プリンタ機能（クライアントＰＣからの印刷機能）は、ＰＣ文書受信フィルタ３０５と文書変換フィルタ３１２と印刷フィルタ３２１とを接続することにより実現される。スキャンｔｏ  ｅｍａｉｌ機能（スキャンした画像データを電子メールで転送する機能）は、読取フィルタ３０１とメール送信フィルタ３２３とを接続することによって実現される。ＦＡＸ送信機能は、読取フィルタ３０１とＦＡＸ送信フィルタ３２４とを接続することによって実現される。ＦＡＸ受信機能は、ＦＡＸ受信フィルタ３０４と印刷フィルタ３２１とを接続することによって実現される。ドキュメントボックス蓄積機能（スキャンした画像データを複合機１内に保存する機能）は、読取フィルタ３０１と保管文書登録フィルタ３２２とを接続することによって実現される。ドキュメントボックス印刷機能（複合機１内に保存されている文書データを印刷する機能）は、保管文書読出フィルタ３０２と印刷フィルタ３２１とを接続することにより実現される。
【００４７】
図４において、例えば、読取フィルタ３０１については５つの機能において利用されている。このように、各フィルタは複数の機能から利用可能であり、それによって各機能を実現するための開発工数を削減することができる。例えば、コピー機能とスキャン機能（ドキュメントボックス蓄積）について、その実行条件を設定させるためのユーザインタフェースは類似しているものであった。しかし、各機能をアプリケーションによって実装する場合には、アプリケーションごとに個別にユーザインタフェースの実装も行われていた。しかし、本実施の形態では、コピー機能及びスキャン機能のいずれの場合も、読取フィルタ３０１のユーザインタフェースによって設定が行われ、ユーザインタフェースの共通化をも図ることができる。
【００４８】
更に、新たな機能を実現する場合について考える。まず、機能１として、複合機１では対応していないＰＤＬ（Page Description Language）（以下、「他ＰＤＬ」という。）によってクライアントＰＣから送信される印刷データを印刷する機能を実現する場合について考える。この場合、図４におけるプリンタ機能を雛形とすることができる。但し、プリンタ機能では、ＰＣ文書受信フィルタ３０５により出力されるデータがＰｏｓｔＳｃｒｉｐｔ形式であることが前提とされている。文書変換フィルタ３１２が入力データとして扱えるのはＰｏｓｔＳｃｒｉｐｔ形式のデータだからである。しかし、機能１の場合、ＰＣ文書受信フィルタ３０５によって受信され、当該フィルタより出力されるのは他ＰＤＬ形式のデータである。したがって、このまま文書変換フィルタ３１２に転送しても文書変換フィルタ３１２は適切に処理を実行することができない。そこで、他ＰＤＬ形式からＰｏｓｔＳｃｒｉｐｔ形式へのデータ変換を実行する変換フィルタ（以下「他ＰＤＬ−ＰＳ変換フィルタ」という。）を新たに実装し、当該フィルタをＰＣ文書受信フィルタ３０５と文書変換フィルタ３１２との間に挿入すれば、機能１を実現することができる。すなわち、機能１は、ＰＣ文書受信フィルタ３０５と他ＰＤＬ−ＰＳ変換フィルタと文書変換フィルタ３１２と印刷フィルタ３２１とを接続することにより実現される。
【００４９】
次に、機能２として、Ｗｅｂサイトから情報を収集し、収集された情報を印刷する機能（以下「機能２」という。）を実現する場合について考える。この場合、Ｗｅｂサイトから情報を収集するフィルタが存在しない。したがって、少なくともＷｅｂサイトから情報を収集する入力フィルタ（以下「Ｗｅｂ収集フィルタ」という。）を新たに実装する必要がある。また、機能２では最終的に印刷を実行させたいので、出力フィルタとしては印刷フィルタ３２１を用いるのが適切である。ここで問題となるのが、Ｗｅｂ収集フィルタと印刷フィルタ３２１との間をどのように接続するかである。すなわち、印刷フィルタ３２１の入力データはレンダリングされたビットマップである必要があるところ、Ｗｅｂ収集フィルタ内にレンダリング機能を実装するのは非常に工数がかかるので適切ではない。そこで、既にレンダリング機能を実現する文書変換フィルタ３１２を利用することが考えられる。ただし、文書変換フィルタ３１２の入力データは、ＰｏｓｔＳｃｒｉｐｔ形式である必要がある。そこで、Ｗｅｂ収集フィルタを、収集した情報をＰｏｓｔＳｃｒｉｐｔ形式によって出力するように実装すれば、文書変換フィルタ３１２との接続が可能となる。このようにＷｅｂ収集フィルタを実装することにより、機能２は、Ｗｅｂ収集フィルタと文書変換フィルタ３１２と、文書変換フィルタ３１２と印刷フィルタ３２１との接続により実現される。
【００５０】
以下、本実施の形態における複合機１の処理手順について説明する。図５及び図６は、複合機が一つの機能を実現する際の処理手順を説明するためのフローチャートである。
【００５１】
まず、ユーザによって入力フィルタが選択され（Ｓ１０１）、選択された入力フィルタの実行条件が設定される（Ｓ１０２）。同様に、変換フィルタ又は出力フィルタについても選択が行われ（Ｓ１０３）、フィルタ間の接続が指定され（Ｓ１０４）、実行条件が設定される（Ｓ１０５）。
【００５２】
上記の操作は、ローカルＵＩ部１２の制御のもと、例えば、図７に示されるようなオペレーションパネルを介して行われる。
【００５３】
図７は、オペレーションパネルにおけるフィルタの選択例を示す図である。図７において、オペレーションパネル２０２は、タッチパネル５１１とスタートボタン５１２とを含む。タッチパネル５１１は、タッチ操作で入力を行うためのハードウェア（タッチ操作部）であると共に、画面表示で出力を得るためのハードウェア（画面表示部）である。スタートボタン５１２は、要求した機能の実行開始指示を行うためのハードウェアである。
【００５４】
図７のタッチパネル５１１には、要求入力画面が表示されている。要求入力画面は、入力フィルタ選択領域５１３、変換フィルタ選択領域５１４、出力フィルタ選択領域５１５、及び要求表示領域５１６等より構成される。入力フィルタ選択領域５１３は、入力フィルタを選択させるための領域であり、入力フィルタごとにボタンが表示されている。入力フィルタ選択領域５１３でいずれかのボタンが選択されると、選択されたボタンに対応する入力フィルタのボタンが要求表示領域５１６に表示される。図中では、便宜上、読取フィルタ３０１及び保管文書読出フィルタ５１３のボタンが表示されている。
【００５５】
変換フィルタ選択領域５１４は、変換フィルタを選択させるための領域であり、変換フィルタごとにボタンが表示されている。変換フィルタ選択領域５１４でいずれかのボタンが選択されると、選択されたボタンに対応する変換フィルタのボタンが要求表示領域５１６に表示される。
【００５６】
出力フィルタ選択領域５１５は、出力フィルタを選択させるための領域であり、出力フィルタごとにボタンが表示されている。出力フィルタ選択領域５１５でいずれかのボタンが選択されると、選択されたボタンに対応する出力フィルタのボタンが要求表示領域５１６に表示される。図中では、便宜上、印刷フィルタ３２１、保管文書登録フィルタ３２２、メール送信フィルタ３２３、及びＦＡＸ送信フィルタ３２４のボタンが表示されている。
【００５７】
なお、インストールされているフィルタ（入力フィルタ、変換フィルタ、出力フィルタ）の一覧情報は、記憶装置に記録されており、例えば、コントロール層２０によって管理されている。したがって、ローカルＵＩ部１２は、コントロール層２０に問い合わせることにより、入力フィルタ選択領域５１３、変換フィルタ選択領域５１４、出力フィルタ選択領域５１５を表示させるためのフィルタの一覧情報を取得する。
【００５８】
要求表示領域５１６には、入力フィルタ選択領域５１３、変換フィルタ選択領域５１４又は出力フィルタ選択領域５１５において選択されたフィルタのボタンが表示され、入力フィルタ、変換フィルタ、又は出力フィルタとの間は、データの流れ又はパイプを示す矢印で接続される。矢印を操作することにより、実行するフィルタの順番を変更することも可能である。要求表示領域５１６における表示内容によって、ユーザは、利用するフィルタとその流れを認識することができる。要求表示領域５１６には、更に、設定ボタン５１７及び削除ボタン５１８が配置されている。設定ボタン５１７は、要求表示領域５１６においてフィルタのボタンが選択されている場合に、当該フィルタの設定画面を表示させるためのボタンである。すなわち、設定ボタン５１７が押下（タッチ）されると、選択されているフィルタのフィルタ設定ＵＩに基づいて、その設定画面がタッチパネル５１１に表示される。削除ボタン５１８は、要求表示領域５１６においてフィルタのボタンが選択されている場合に、当該フィルタの利用を解除するためのボタンである。
【００５９】
なお、入力フィルタ、変換フィルタ、及び出力フィルタは、一つの機能に対してそれぞれ複数個の選択が可能である。例えば、スキャンされた画像と、複合機１内に保存されている画像を合成して、印刷すると共にＦＡＸ送信するといったような場合、少なくとも二つの入力フィルタ（読取フィルタ３０１及び保管文書読出フィルタ３０２）と二つの出力フィルタ（印刷フィルタ３２１及びＦＡＸ送信フィルタ３２４）とが選択される。
【００６０】
フィルタの選択が完了し（Ｓ１０６でＹＥＳ）、スタートボタン５１２が押下されると、ユーザインタフェース層１０からコントロール層２０に対して、要求内容が通知される。
【００６１】
図８は、ユーザインタフェース層からコントロール層へ通知される要求内容を概念的に示す図である。図８に示されるように、ユーザインタフェース層１０からの要求は、ユーザインタフェース層１０において選択されたフィルタごとに、フィルタの種別と当該フィルタに対する設定情報とを含むものであり、更にフィルタの実行順も含も含んでいる（図中において各ブロックを結ぶ矢印が、フィルタの実行順を示す）。
【００６２】
図８に示されるような要求内容を受けて、コントロール層２０は、選択された各フィルタ間をパイプによって接続する（Ｓ１０７）。パイプの実体はメモリ（ＨＤＤ（Hard Disk Drive）も含む）であるが、パイプの両端のフィルタに応じて利用するメモリの種類が異なり、その対応関係は、例えば、複合機１のＨＤＤ内に予め定義されている。
【００６３】
図９は、フィルタとパイプの対応テーブルの例を示す図である。図９の対応テーブル６０によれば、例えば、読取フィルタ３０１と印刷フィルタ３２１や、文書変換フィルタ３１２と印刷フィルタ３２１は、ＤＭＡ（Direct Memory Access）パイプによって接続され、高速にデータが転送される。また、ＰＣ文書受信フィルタ３０５と文書変換フィルタ３１２とは、スプールパイプによって接続される。スプールパイプとは、ＨＤＤを用いるパイプであり、左側のフィルタから出力されたデータは、右側のフィルタが読み出すまでＨＤＤにスプール（保存）される。それ以外のフィルタ間は、汎用メモリパイプによって接続される。汎用メモリパイプとは、有限サイズのＲＡＭバッファによってデータ転送を行うパイプである。図９に示される対応テーブル６０は、フィルタやパイプの拡張（追加）や削除等に応じて編集可能である。なお、図１における画像パイプ４１は、上記の各種のパイプへのインタフェースを提供するモジュールを抽象的に表現したものである。
【００６４】
したがって、コントロール層２０は、図９の対応テーブル６０に基づいて、各フィルタ間を特定のパイプで接続する。
【００６５】
図１０は、コントロール層によって生成される情報を概念的に示す図である。図１０では、各フィルタ（「Ｆ」）間がパイプ（「Ｐ」）によって接続されている様子が示されている。
【００６６】
続いて、コントロール層２０は、各フィルタに対して並列的に実行要求を出力する（Ｓ１０８）。すなわち、フィルタの呼び出しはフィルタの接続順ではなく、全てのフィルタに対してほぼ同時に行われる。フィルタ間の同期はパイプによってとられるからである。すなわち、コントロール層からの実行要求を受けて、各フィルタは自分の入力側のパイプにデータが入力されるまで待機する。但し、入力フィルタには、入力側にパイプは存在しない。したがって、入力フィルタは実行要求に応じて処理を開始する。
【００６７】
まず、入力フィルタは、入力デバイスよりデータを入力し（図６のＳ１１１）、当該データを、出力側に接続されているパイプに出力する（Ｓ１１２）。なお、データが複数回に分けて入力される場合（複数枚の原稿がスキャンされる場合等）は、データの入力とパイプへの出力が繰り返される。全ての入力データについて処理が終了すると（Ｓ１１３でＹＥＳ）、入力フィルタの処理は終了する。
【００６８】
変換フィルタは、入力側に接続されているパイプに対するデータの入力を検知すると処理を開始する。まず、当該パイプからデータを読み込み（Ｓ１２１）、データに対して画像処理を施す（Ｓ１２２）。続いて、処理結果としてのデータを出力側に接続されているパイプに出力する（Ｓ１２３）。入力側のパイプに入力された全てのデータについて処理が終了すると（Ｓ１２４でＹＥＳ）、変換フィルタの処理は終了する。
【００６９】
出力フィルタは、入力側に接続されているパイプに対するデータの入力を検知すると処理を開始する。まず、当該パイプからデータを読み込み（Ｓ１３１）。続いて、読み込まれたデータを出力デバイスを利用して出力する（Ｓ１３２）。入力側のパイプに入力された全てのデータについて処理が終了すると（Ｓ１３３でＹＥＳ）、出力フィルタの処理は終了する。
【００７０】
パイプについて更に詳しく説明する。図１１は、パイプを介したフィルタ間のデータの伝達手順を説明するための図である。図中において、フィルタＡ３００ａ及びフィルタＢ３００ｂは、それぞれフィルタを示す。ＤＭＡパイプ４１ａは、図９において説明した、画像パイプ４１の一例としてのＤＭＡパイプである。画像メモリ２５０は、複合機１に備えられた物理的な（ハードウェアとしての）画像メモリである。
【００７１】
フィルタＡ３００ａからフィルタＢ３００ｂにデータ（画像データ）が伝達される場合、フィルタＡ３００ａは、ＤＭＡパイプ４１ａに対して画像データを格納するためのメモリ領域の確保を要求する（Ｓ５１）。ＤＭＡパイプ４１ａは、当該メモリ領域を確保し、そのアドレスをフィルタＡ３００ａに返却する（Ｓ５２）。フィルタＡ３００ａは、返却されたアドレス（画像メモリ２５０）に画像データを書き込み（Ｓ５３）、画像データを書き込んだアドレスをＤＭＡパイプ４１ａに通知する（Ｓ５４）。
【００７２】
フィルタＢ３００ｂは、ＤＭＡパイプ４１ａに対して画像データが書き込まれたアドレスが通知されるまで、当該アドレスの問い合わせを繰り返し（定期的に）行っている（Ｓ５５）。但し、フィルタＢ３００ｂは、当該アドレスが通知されるまで待機していてもよい。当該アドレスがＤＭＡパイプ４１ａに通知されると、フィルタＢ３００ｂは、当該アドレスを取得し、画像メモリ２５０に対する画像データの書き込みを検知する。そこで、フィルタＢ３００ｂは、画像メモリ２５０の当該アドレスより画像データを読み出し（Ｓ５６）、当該画像データに対してフィルタ３００ｂに関する処理を実行する。処理が完了すると、フィルタＢ３００ｂは、当該アドレスに係るメモリ領域の開放をＤＭＡパイプ４１ａに要求する（Ｓ５７）。ＤＭＡパイプ４１ａは、当該メモリ領域を開放する（Ｓ５８）。
【００７３】
このように、フィルタ間のデータの伝達を画像メモリ（共有メモリ）を介して行うことにより、フィルタごとに画像データを格納するためのメモリ領域を確保する必要がなくなり、メモリ効率や処理性能の向上を図ることができる。また、フィルタ間に呼び出し関係が生じないため、フィルタの独立性を保つことができる。
【００７４】
次に、具体的な機能を例として、複合機１内における処理シーケンスを説明する。図１２は、コピー機能を実現する際の処理手順を説明するための図である。
【００７５】
ステップＳ１１において、ローカルＵＩ部１２は、図７に示したオペレーションパネルを介してユーザからコピー要求の入力（フィルタの選択）を受け付ける。
【００７６】
ところで、図７に示されるようにユーザに各フィルタを選択させるといったユーザインタフェースは、ユーザの要求に柔軟に対応できるという反面、コピーのように頻繁に利用する機能については、毎回フィルタの選択によって実行指示を行うのはユーザにとって煩雑である。そこで、例えば、頻繁に利用する機能については、「コピー」ボタンを表示させ、「コピー」ボタンが選択されると、内部的に利用するフィルタが選択されるようにしてもよい。
【００７７】
ユーザによって要求が入力されると、ローカルＵＩ部１２は、入力された要求（選択されたフィルタ）の実行をコントロール層２０に要求する（Ｓ１２）。コントロール層２０は、選択されたフィルタ間をパイプによって接続する（Ｓ１３）。
【００７８】
図１３は、コピー機能に係るフィルタ間がパイプによって接続された様子を概念的に示す図である。図１３において、読取フィルタ３０１と印刷フィルタ３２１とが画像パイプ４１によって接続されている。ステップＳ１３では、このような内容を示す情報が生成される。図９より、ここでの画像パイプ４１は、ＤＭＡパイプが相当する。
【００７９】
続いて、コントロール層２０は、利用する各フィルタ（読取フィルタ３０１及び印刷フィルタ３２１）に対して実行要求を並列的に出力する（Ｓ１４）。
【００８０】
まず、入力フィルタである読取フィルタ３０１は、スキャナ制御部５１に対して画像の読み取りを指示する（Ｓ１５）。当該指示に応じてスキャナ制御部５１の制御のもと、スキャナ（撮像部）によって原稿から画像データが読み取られ、読取フィルタ３０１に出力される。読取フィルタ３０１は、当該画像データを画像パイプ４１に出力する（Ｓ１６）。画像パイプ４１の実体はメモリであるため、画像パイプ４１は、メモリ制御部５３を介して画像データをメモリに書き込む（Ｓ１７）。なお、ここでは、ＤＭＡ転送が行われる。
【００８１】
一方、印刷フィルタ３２１は、入力側に接続されている画像パイプ４１への画像データの書き込みが検知されると処理を開始する。まず、印刷フィルタ３２１は、画像パイプ４１に対し画像データの読み込みを要求する（Ｓ１８）。画像パイプ４１は、メモリ制御部５３を介して画像データを読み込む（Ｓ１９）。印刷フィルタ３２１は、当該画像データの印刷をプロッタ制御部５２に指示する（Ｓ２０）。当該指示に応じてメモリ制御部５３からプロッタ制御部５２に画像データがＤＭＡ転送され、プロッタ制御部５２の制御のもと、プロッタ（印刷部）によって画像データが印刷される。
【００８２】
次に、プリンタ機能（クライアントＰＣからの印刷機能）について説明する。図１４は、プリンタ機能を実現する際の処理手順を説明するための図である。
【００８３】
ステップＳ２１において、クライアントＰＣからの印刷要求が受け付けられる。当該印刷要求は、まず、ネットワーク制御部５５によって受信され、通信サーバ部１１に通知される。通信サーバ部１１は、プリンタ機能を実現するために必要なフィルタを選択し、選択されたフィルタの実行をコントロール層２０に要求する（Ｓ２２）。コントロール層２０は、選択されたフィルタ間をパイプによって接続する（Ｓ２３）。
【００８４】
図１５は、プリンタ機能に係るフィルタ間がパイプによって接続された様子を概念的に示す図である。図１５において、ＰＣ文書受信フィルタ３０５と文書変換フィルタ３１２とが画像パイプ４１によって接続されている。また、文書変換フィルタ３１２と印刷フィルタ３２１とも画像パイプ４１によって接続されている。図９より、ＰＣ文書受信フィルタ３０５と文書変換フィルタ３１２との間の画像パイプ４１は、スプールパイプが相当する。また、文書変換フィルタ３１２と印刷フィルタ３２１との間の画像パイプ４１は、ＤＭＡパイプが相当する。
【００８５】
続いて、コントロール層２０は、利用する各フィルタ（ＰＣ文書受信フィルタ３０５、文書変換フィルタ３１２、及び印刷フィルタ３２１）に対して実行要求を並列的に出力する（Ｓ２４）。
【００８６】
まず、入力フィルタであるＰＣ文書受信フィルタ３０５は、ネットワーク制御部５５に対して印刷データ（ＰＤＬ）の受信を指示する（Ｓ２５）。印刷データが受信されると、ＰＣ文書受信フィルタ３０５は、受信された印刷データを画像パイプ４１に出力する（Ｓ２６）、画像パイプ４１は、メモリ制御部５３を介して印刷データをメモリ（ここではＨＤＤ）に書き込む（Ｓ２７）。
【００８７】
文書変換フィルタ３１２は、入力側に接続されている画像パイプ４１への印刷データの書き込みが検知されると処理を開始する。まず、文書変換フィルタ３１２は、画像パイプ４１に対し印刷データの読み込みを要求する（Ｓ２８）。画像パイプ４１は、メモリ制御部５３を介してＨＤＤより印刷データを読み込み（Ｓ２９）、文書変換フィルタ３１２に出力する。文書変換フィルタ３１２は、当該印刷データを画像データ（ビットマップ）に変換し（Ｓ３０）、当該画像データを画像パイプ４１に出力する（Ｓ３１）。続いて、画像パイプ４１は、メモリ制御部５３を介して画像データをメモリに書き込む（Ｓ３２）。
【００８８】
印刷フィルタ３２１は、入力側に接続されている画像パイプ４１への画像データの書き込みが検知されると処理を開始する。まず、印刷フィルタ３２１は、画像パイプ４１に対し画像データの読み込みを要求する（Ｓ３３）。画像パイプ４１は、メモリ制御部５３を介して画像データを読み込む（Ｓ３４）。印刷フィルタ３２１は、当該画像データの印刷をプロッタ制御部５２に指示する（Ｓ３５）。当該指示に応じてメモリ制御部５３からプロッタ制御部５２に画像データがＤＭＡ転送され、プロッタ制御部５２の制御のもと、プロッタ（印刷部）によって画像データが印刷される。
【００８９】
なお、他の機能についても同様のシーケンスによって実現される。
【００９０】
上述したように第一の形態における複合機１によれば、各フィルタを部品として各機能を構築するため、機能のカスタマイズ又は拡張を簡便に行うことができる。すなわち、各フィルタ間には、機能的な依存関係はなく独立性が保たれているため、フィルタの新たな追加やフィルタの組み合わせの変更によって、新たな機能（アプリケーション）を容易に開発することができる。したがって、新たなアプリケーションの実装が要求された場合、当該アプリケーションの一部の処理について実装されていない場合は、当該一部の処理を実現するフィルタのみを開発し、インストールすればよい。よって、コントロール層２０及びアプリケーションロジック層３０より下位の層について、新たなアプリケーションの実装に応じて発生する修正の頻度を低下させることができ、安定したプラットフォームを提供することができる。
【００９１】
また、フィルタ単位で実行条件の設定用のユーザインタフェースが実装されるため、或るフィルタを用いて実現されるアプリケーション間では、当該フィルタのユーザインタフェースを共通的に用いることができ、アプリケーションごとのユーザインタフェースの開発工数を削減することができる。
【００９２】
次に、第二の実施の形態について説明する。第二の実施の形態では、第一の実施の形態と異なる点について説明する。したがって、特に言及しない点については、第一の実施の形態と同様でよい。
【００９３】
図１６は、第二の実施の形態における複合機のソフトウェア構成例を示す図である。図１６中、図１と同一部分には同一符号を付し、その説明は省略する。
【００９４】
図１６において、アプリケーションロジック層３０は、コピーアクティビティ３１ａ、プリンタアクティビティ３１ｂ、及びマルチ文書アクティビティ３１ｃ等のアクティビティ３１を含む。第二の実施の形態において「アクティビティ」とは、予め固定的に定義されたフィルタの組み合わせによって、一つの「機能」（複合機１がユーザに対して提供する一つのまとまった単位のサービス又はアプリケーション）を実現するソフトウェアである。
【００９５】
すなわち、第一の実施の形態では、図７に示されるようなユーザインタフェースによって、ユーザに各フィルタを選択させる例を説明した。しかしながら、斯かるユーザインタフェースは、ユーザの要求に柔軟に対応できるという反面、コピーのように頻繁に利用する機能については、毎回フィルタの選択によって実行指示を行うのはユーザにとって煩雑である。
【００９６】
かかる課題を解決するのがアクティビティ３１である。すなわち、フィルタの組み合わせをアクティビティ３１として予め定義しておけば、ユーザが、アクティビティ３１を単位として実行対象を選択すると、選択されたアクティビティ３１は、当該アクティビティ３１に定義された組み合わせに係る各フィルタを自動的に実行するからである。したがって、操作の煩雑さを解消することができるとともに、アプリケーション単位で実行対象を選択していた従来のユーザインタフェースと同様の操作感を提供することができる。
【００９７】
図１６において、コピーアクティビティ３１ａは、読取フィルタ３０１と、文書加工フィルタ３１１と、印刷フィルタ３２１との組み合わせにより、コピー機能（コピーアプリケーション）を実現するアクティビティ３１である。
【００９８】
プリンタアクティビティ３１ｂは、ＰＣ文書受信フィルタ３０５と、文書変換フィルタ３１２と、印刷フィルタ３２１との組み合わせにより、印刷機能（プリンタアプリケーション）を実現するアクティビティ３１である。
【００９９】
マルチ文書アクティビティ３１ｃは、入力フィルタ、変換フィルタ、及び出力フィルタのそれぞれについて、自由な組み合わせが可能なアクティビティ３１である。すなわち、第一の実施の形態においてコントロール層２０等が行っていた処理を、アクティビティ３１として切り出したものである。
【０１００】
なお、各アクティビティ３１は独立しており、アクティビティ３１間における依存関係（呼び出し関係）は基本的に存在しない。したがって、アクティビティ３１単位で追加（インストール）又は削除（アンインストール）が可能である。よって、図１６に示されているアクティビティ３１以外にも、必要に応じて各種のフィルタの組み合わせによるアクティビティ３１を作成し、インストールすることができる。
【０１０１】
図１７は、アクティビティの構成要素を説明するための図である。図１７に示されるように、アクティビティ３１は、アクティビティＵＩ、アクティビティロジック、及び永続記憶領域情報等より構成される。
【０１０２】
アクティビティＵＩは、アクティビティ３１に関する画面（例えば、アクティビティ３１の実行条件等を設定させるための設定画面）をオペレーションパネル等に表示させるための情報又はプログラムである。
【０１０３】
アクティビティロジックは、アクティビティ３１の処理内容が実装されたプログラムである。基本的に、アクティビティロジックには、フィルタの組み合わせに関するロジック（例えば、フィルタの実行順、複数のフィルタに跨る設定、フィルタの接続変更、エラー処理等）が実装されている。
【０１０４】
永続記憶領域情報は、アクティビティ３１に対する設定情報（例えば、実行条件のデフォルト値）等、不揮発メモリに保存する必要があるデータのスキーマ定義が相当する。当該スキーマ定義は、アクティビティ３１のインストール時にデータ管理部４２に登録される。
【０１０５】
図１８は、アクティビティを利用させるための操作画面例を示す図である。図１８において、アクティビティ選択画面６００は、実行対象とするアクティビティを選択させるためにオペレーションパネル２０２のタッチパネル５１１に表示される画面である。アクティビティ選択画面６００には、複合機１にインストールされているアクティビティ３１ごとにボタンが表示される。図中では、コピーアクティビティ３１ｂに対応するコピーボタン６１０、プリンタアクティビティ３１ｂに対応するプリンタボタン６２０、マルチ文書アクティビティ３１ｃに対応するマルチ文書ボタン６３０が表示されている。
【０１０６】
なお、インストールされているアクティビティ３１の一覧情報は、記憶装置に記録されており、例えば、コントロール層２０によって管理されている。したがって、ローカルＵＩ部１２は、コントロール層２０に問い合わせることにより、アクティビティ３１の一覧情報を取得し、当該一覧情報に基づいて、アクティビティ選択画面６００の各ボタンを表示させる。
【０１０７】
アクティビティ選択画面６００において、コピーボタン６１０が選択（タッチ）されると、ローカルＵＩ部１２は、コピーアクティビティ３１ａのアクティビティＵＩを呼び出すことによりコピーアクティビティ３１ａの画面情報を取得し、当該画面情報に基づいてコピーアクティビティ画面６１１をタッチパネル５１１に表示させる。コピーアクティビティ画面６１１は、コピーアクティビティ３１ａの実行条件を設定させるための画面であり、図中では、コピーアクティビティ３１ａを構成する各フィルタの設定画面（読取フィルタ設定画面６１１ａ、文書加工フィルタ設定画面６１１ｂ、及び印刷フィルタ設定画面６１１ｃ）が表示された例が示されている。すなわち、各フィルタの実行条件を設定させることで、コピーアクティビティ３１ａの実行条件が設定されるからである。各フィルタの設定画面の画面情報は、コピーアクティビティ３１ａのアクティビティＵＩが、ローカルＵＩ部１２からの呼び出しに応じて各フィルタのフィルタ用設定ＵＩを呼び出すことにより取得され、コピーアクティビティ３１ａの画面情報に含められる（マージされる）。なお、単に、各フィルタの設定画面を並べるだけでなく、各フィルタに対して一括して設定を行うためのＵＩ（例えば、「両面→両面」ボタン、読み取りの設定（両面）ボタン、印刷の設定（両面）ボタン等）をコピーアクティビティ画面６１１に表示させるようにしてもよい。
【０１０８】
プリンタボタン６２０が選択されると、ローカルＵＩ部１２は、プリンタアクティビティ３１ｂのアクティビティＵＩを呼び出すことによりプリンタアクティビティ３１ｂの画面情報を取得し、当該画面情報に基づいてプリンタアクティビティ画面６２１をタッチパネル５１１に表示させる。プリンタアクティビティ画面６２１は、プリンタアクティビティ３１ｂの状態（印刷中等）を表示させる画面である。すなわち、後述されるように、プリンタアクティビティ３１ｂは、印刷データの受信に応じて起動されるものであり（すなわち、オペレーションパネル２０２上における操作によって起動されるものではない。）、基本的に設定画面は不要だからである。
【０１０９】
マルチ文書ボタン６３０が選択されると、ローカルＵＩ部１２は、マルチ文書アクティビティ３１ｃのアクティビティＵＩを呼び出すことによりマルチ文書アクティビティ３１ｃの画面情報を取得し、当該画面情報に基づいてマルチ文書アクティビティ画面６３１をタッチパネル５１１に表示させる。図中では、マルチ文書アクティビティ画面６３１として、図７において説明した操作画面と同じ画面が表示される例が示されている。
【０１１０】
以下、本実施の形態において例示されている各アクティビティ３１の処理手順について説明する。図１９は、マルチ文書アクティビティの処理手順を説明するためのフローチャートである。なお、図１９のフローチャートは、図５におけるものと同様である。但し、アクティビティとして実行される場合、実行主体が異なるステップが有るため、改めて説明する。
【０１１１】
図１８のアクティビティ選択画面６００においてマルチ文書ボタン６３０が選択され、マルチ文書アクティビティ画面６３１がタッチパネル５１１に表示されると、図１９の処理が開始される。
【０１１２】
マルチ文書アクティビティ画面６３１において、ユーザによって入力フィルタが選択され（Ｓ２０１）、選択された入力フィルタの実行条件が設定される（Ｓ２０２）。同様に、変換フィルタ又は出力フィルタについても選択が行われ（Ｓ２０３）、フィルタ間の接続が指定され（Ｓ２０４）、実行条件が設定される（Ｓ２０５）。
【０１１３】
以上の設定において、選択された入力フィルタ、変換フィルタ、出力フィルタの情報（すなわち、どのフィルタが選択されたのか、また、どのフィルタとどのフィルタとが接続しているのかを示す情報）は、マルチ文書アクティビティ３１ｃのアクティビティロジックに保持される。また、各フィルタの実行条件は、各フィルタのフィルタロジックに保持される。すなわち、マルチ文書アクティビティ３１ｃのアクティビティロジックに保持される情報と、各フィルタのフィルタロジックに保持される情報とによって、フィルタの実行順と各フィルタの設定情報とを含む情報（図８に示されるような情報）が階層的に保持される。
【０１１４】
フィルタの選択及び実行条件の設定が完了し、スタートボタン５１２が押下されると（Ｓ２０６でＹＥＳ）、マルチ文書アクティビティ３１ｃのアクティビティロジックは、フィルタの実行順と各フィルタの設定情報とを含む情報をコントロール層２０に出力する。
【０１１５】
コントロール層２０は、フィルタの実行順と各フィルタの設定情報とを含む情報を受けて、選択された各フィルタ間をパイプによって接続する（Ｓ２０７）。続いて、コントロール層２０は、各フィルタに対して並列的に実行要求を出力する（Ｓ２０８）。以降は、図６において説明した通りである。
【０１１６】
次に、図２０は、コピーアクティビティの処理手順を説明するためのフローチャートである。図１８のアクティビティ選択画面６００においてコピーボタン６１０が選択され、コピーアクティビティ画面６１１がタッチパネル５１１に表示されると、図１９の処理が開始される。
【０１１７】
まず、コピーアクティビティ３１ａのアクティビティロジックによって、読取フィルタ３０１、文書加工フィルタ３１１、及び印刷フィルタ３２１が実行対象のフィルタとして選択され、各フィルタに対する実行条件の設定の準備がなされる（Ｓ３０１）。続いて、コピーアクティビティ画面６１１におけるユーザによる入力に応じて、各フィルタに対して実行条件が設定される（Ｓ３０２）。当該実行条件は、各フィルタのフィルタロジックにおいて保持される。なお、コピーアクティビティ３１ａに対する実行条件の設定がなされる場合は、当該実行条件は、コピーアクティビティ３１ａのアクティビティロジックにおいて保持される。
【０１１８】
フィルタの実行条件の設定が完了し、スタートボタン５１２が押下されると（Ｓ３０３でＹＥＳ）、コピーアクティビティ３１ａのアクティビティロジックは、読取フィルタ３０１、文書加工フィルタ３１１、及び印刷フィルタ３２１を構成要素とした、フィルタの実行順と各フィルタの設定情報とを含む情報（図８に示されるような情報）をコントロール層２０に出力する。
【０１１９】
コントロール層２０は、フィルタの実行順と各フィルタの設定情報とを含む情報を受けて、各フィルタ間をパイプによって接続する（Ｓ３０４）。続いて、コントロール層２０は、各フィルタに対して並列的に実行要求を出力する（Ｓ３０５）。以降は、図６において説明した通りである。
【０１２０】
次に、図２１は、プリンタアクティビティの処理手順を説明するためのフローチャートである。図２１の処理は、クライアントＰＣ等からの印刷データの受信に応じて通信サーバ部１１がプリンタアクティビティ３１ｃを起動することにより開始される。
【０１２１】
まず、プリンタアクティビティ３１ｂのアクティビティロジックによって、ＰＣ文書受信フィルタ３０５、文書変換フィルタ３１２、及び印刷フィルタ３２１が実行対象のフィルタとして選択され、各フィルタに対する実行条件の設定の準備がなされる（Ｓ４０１）。続いて、プリンタアクティビティ３１ｂのアクティビティロジックは、通信サーバ部１１より受け取った通信ポート情報をＰＣ文書受信フィルタ３０５に設定する。また、プリンタアクティビティ３１ｂのアクティビティロジックは、通信サーバ部１１が印刷データのヘッダ部を解析することにより抽出した印刷の設定情報（用紙サイズ、両面印刷等）を受け取り、当該設定情報を印刷フィルタ３２１に設定する。なお、印刷データのヘッダ部の解析は、プリンタアクティビティ３１ｂ又はＰＣ文書受信フィルタ３０５が行うようにしてもよい。
【０１２２】
続いて、プリンタアクティビティ３１ｂのアクティビティロジックは、ＰＣ文書受信フィルタ３０５、文書変換フィルタ３１２、及び印刷フィルタ３２１を構成要素とした、フィルタの実行順と各フィルタの設定情報とを含む情報（図８に示されるような情報）をコントロール層２０に出力する。コントロール層２０は、フィルタの実行順と各フィルタの設定情報とを含む情報を受けて、各フィルタ間をパイプによって接続する（Ｓ４０３）。続いて、コントロール層２０は、各フィルタに対して並列的に実行要求を出力する（Ｓ４０４）。以降は、図６において説明した通りである。例えば、ＰＣ文書受信フィルタ３０５は、設定された通信ポート情報に係る通信ポートより印刷データを受信する。
【０１２３】
上述したように、第二の実施の形態における複合機１によれば、フィルタの組み合わせによって構成される機能をアクティビティとして予め定義しておくことにより、より簡便な操作で、フィルタの組み合わせによる機能を利用することができる。
【０１２４】
ところで、本実施の形態において、画像パイプ４１は、伝達手段の一例に相当する。また、ユーザインタフェース層１０は、フィルタ選択手段の一例に相当する。また、コントロール層２０は、フィルタ接続手段の一例に相当する。また、対応テーブル６０は、対応関係管理手段の一例に相当する。また、アクティビティ３１は、機能実行手段の一例に相当する。
【０１２５】
なお、以下に複合機１のハードウェア構成の一例を示す。図２２は、本発明の実施の形態における複合機のハードウェア構成の一例を示す図である。
【０１２６】
複合機１のハードウェアとしては、コントローラ２０１と、オペレーションパネル２０２と、ファクシミリコントロールユニット（ＦＣＵ）２０３と、撮像部１２１と、印刷部１２２が存在する。
【０１２７】
コントローラ２０１は、ＣＰＵ２１１、ＡＳＩＣ２１２、ＮＢ２２１、ＳＢ２２２、ＭＥＭ−Ｐ２３１、ＭＥＭ−Ｃ２３２、ＨＤＤ（ハードディスクドライブ）２３３、メモリカードスロット２３４、ＮＩＣ（ネットワークインタフェースコントローラ）２４１、ＵＳＢデバイス２４２、ＩＥＥＥ１３９４デバイス２４３、セントロニクスデバイス２４４により構成される。
【０１２８】
ＣＰＵ２１１は、種々の情報処理用のＩＣである。ＡＳＩＣ２１２は、種々の画像処理用のＩＣである。ＮＢ２２１は、コントローラ２０１のノースブリッジである。ＳＢ２２２は、コントローラ２０１のサウスブリッジである。ＭＥＭ−Ｐ２３１は、複合機１のシステムメモリである。ＭＥＭ−Ｃ２３２は、複合機１のローカルメモリである。ＨＤＤ２３３は、複合機１のストレージである。メモリカードスロット２３４は、メモリカード２３５をセットするためのスロットである。ＮＩＣ２４１は、ＭＡＣアドレスによるネットワーク通信用のコントローラである。ＵＳＢデバイス２４２は、ＵＳＢ規格の接続端子を提供するためのデバイスである。ＩＥＥＥ１３９４デバイス２４３は、ＩＥＥＥ１３９４規格の接続端子を提供するためのデバイスである。セントロニクスデバイス２４４は、セントロニクス仕様の接続端子を提供するためのデバイスである。オペレーションパネル２０２は、オペレータが複合機１に入力を行うためのハードウェア（操作部）であると共に、オペレータが複合機１から出力を得るためのハードウェア（表示部）である。
【０１２９】
なお、図１に示されるソフトウェアは、例えば、ＭＥＭ−Ｃ２３２に格納され、ＣＰＵ２１１によって処理されることによりその機能を複合機に実行させる。
【０１３０】
以上、本発明の実施例について詳述したが、本発明は係る特定の実施形態に限定されるものではなく、特許請求の範囲に記載された本発明の要旨の範囲内において、種々の変形・変更が可能である。
【図面の簡単な説明】
【０１３１】
【図１】第一の実施の形態における複合機のソフトウェア構成例を示す図である。
【図２】パイプ＆フィルタの概念を説明するための図である。
【図３】フィルタの構成要素を説明するための図である。
【図４】本実施の形態の複合機における各機能を実現するためのフィルタの組み合わせの例を示す図である。
【図５】複合機が一つの機能を実現する際の処理手順を説明するためのフローチャートである。
【図６】複合機が一つの機能を実現する際の処理手順を説明するためのフローチャートである。
【図７】オペレーションパネルにおけるフィルタの選択例を示す図である。
【図８】ユーザインタフェース層からコントロール層へ通知される要求内容を概念的に示す図である。
【図９】フィルタとパイプの対応テーブルの例を示す図である。
【図１０】コントロール層によって生成される情報を概念的に示す図である。
【図１１】パイプを介したフィルタ間のデータの伝達手順を説明するための図である。
【図１２】コピー機能を実現する際の処理手順を説明するための図である。
【図１３】コピー機能に係るフィルタ間がパイプによって接続された様子を概念的に示す図である。
【図１４】プリンタ機能を実現する際の処理手順を説明するための図である。
【図１５】プリンタ機能に係るフィルタ間がパイプによって接続された様子を概念的に示す図である。
【図１６】第二の実施の形態における複合機のソフトウェア構成例を示す図である。
【図１７】アクティビティの構成要素を説明するための図である。
【図１８】アクティビティを利用させるための操作画面例を示す図である。
【図１９】マルチ文書アクティビティの処理手順を説明するためのフローチャートである。
【図２０】コピーアクティビティの処理手順を説明するためのフローチャートである。
【図２１】プリンタアクティビティの処理手順を説明するためのフローチャートである。
【図２２】本発明の実施の形態における複合機のハードウェア構成の一例を示す図である。
【符号の説明】
【０１３２】
１          複合機
１０        ユーザインタフェース層（フィルタ選択手段の一例）
１１        通信サーバ部
１２        ローカルＵＩ部
２０        コントロール層（フィルタ接続手段の一例）
３０        アプリケーションロジック層
３１        アクティビティ（機能実行手段の一例）
３１ａ      コピーアクティビティ
３１ｂ      プリンタアクティビティ
３１ｃ      マルチ文書アクティビティ
４０        デバイスサービス層
４１        画像パイプ（伝達手段の一例）
４２        データ管理部
５０        デバイス制御層
５１        スキャナ制御部
５２        プロッタ制御部
５３        メモリ制御部
５４        Ｔｅｌ回線制御部
５５        ネットワーク制御部
６０        対応テーブル（対応関係管理手段の一例）
２０１      コントローラ
２０２      オペレーションパネル
２０３      ファクシミリコントロールユニット
２１１      ＣＰＵ
２１２      ＡＳＩＣ
２２１      ＮＢ
２２２      ＳＢ
２３１      ＭＥＭ−Ｐ
２３２      ＭＥＭ−Ｃ
２３３      ＨＤＤ
２３４      メモリカードスロット
２３５      メモリカード
２４１      ＮＩＣ
２４２      ＵＳＢデバイス
２４３      ＩＥＥＥ１３９４デバイス
２４４      セントロニクスデバイス
３０１      読取フィルタ
３０２      保管文書読出フィルタ
３０３      メール受信フィルタ
３０４      ＦＡＸ受信フィルタ
３０５      ＰＣ文書受信フィルタ
３０６      レポートフィルタ
３１１      文書変換フィルタ
３１２      文書変換フィルタ
３２１      印刷フィルタ
３２２      保管文書登録フィルタ
３２３      メール送信フィルタ
３２４      ＦＡＸ送信フィルタ
３２５      ＰＣ文書送信フィルタ
３２６      プレビューフィルタ
【図１】
2007325251.tif 000003
【図２】
2007325251.tif 000004
【図３】
2007325251.tif 000005
【図４】
2007325251.tif 000006
【図５】
2007325251.tif 000007
【図６】
2007325251.tif 000008
【図７】
2007325251.tif 000009
【図８】
2007325251.tif 000010
【図９】
2007325251.tif 000011
【図１０】
2007325251.tif 000012
【図１１】
2007325251.tif 000013
【図１２】
2007325251.tif 000014
【図１３】
2007325251.tif 000015
【図１４】
2007325251.tif 000016
【図１５】
2007325251.tif 000017
【図１６】
2007325251.tif 000018
【図１７】
2007325251.tif 000019
【図１８】
2007325251.tif 000020
【図１９】
2007325251.tif 000021
【図２０】
2007325251.tif 000022
【図２１】
2007325251.tif 000023
【図２２】
2007325251.tif 000024